(57)【特許請求の範囲】
【請求項１】
エタンデュを維持する偏光を切り替えるシステムであって、
第一の光の経路に沿って偏光させられた光を提供するために構成されたレーザー照明システム、
前記第一の光の経路に配された旋回可能な反射性の素子、前記旋回可能な反射性の素子が少なくとも第二の光の経路及び第三の光の経路に沿って、それの偏光を変化させることなく、前記第一の光の経路において制御可能に及び交互に前記偏光させられた光を向けるために作動可能なものであること、
前記旋回可能な反射性の素子を旋回させるために集合的に構成された回転デバイス及び駆動するデバイス、前記駆動するデバイスが前記回転デバイスに駆動する信号を提供するために構成されたものであること、前記駆動する信号が前記回転デバイスが前記旋回可能な反射性の素子を旋回させることを引き起こすために構成されたものであること、前記駆動する信号はノイズの信号を含むために構成されたものであること、並びに、前記旋回可能な反射性の素子は前記回転デバイス及び前記駆動するデバイスが前記旋回可能な反射性の素子を旋回させるとき前記ノイズの信号に対する応答においてわずかに変形するために構成された光学的な表面を含むこと、それによってレーザーのスペックルを低減するために対応する光学的な経路の差を生じさせること、
前記第二の光の経路に配されたリターダー、前記リターダーが前記第二の光の経路に沿って異なる偏光を有する光へと前記偏光させられた光を変化させるために構成されたものであること、並びに、
前記第一の光の経路と同じ又は実質的に同じエタンデュを呈示する単一の光ビームへと前記第二の光の経路における前記リターダーからの前記異なる偏光を有する光と前記第三の光の経路からの光を組み合わせるために構成された偏光を組み合わせるデバイス
を具備する、システム。
【請求項２】
エタンデュを維持する偏光を切り替えるシステムであって、
第一の光の経路に沿って偏光させられた光を提供するために構成されたレーザー照明システム、
前記第一の光の経路に配された旋回可能な反射性の素子、前記旋回可能な反射性の素子が少なくとも第二の光の経路及び第三の光の経路に沿って、それの偏光を変化させることなく、前記第一の光の経路において制御可能に及び交互に前記偏光させられた光を向けるために作動可能なものであること、
前記旋回可能な反射性の素子を旋回させるために集合的に構成された回転デバイス及び駆動するデバイス、前記駆動するデバイスが前記回転デバイスに駆動する信号を提供するために構成されたものであること、前記駆動する信号が前記回転デバイスが前記旋回可能な反射性の素子を旋回させることを引き起こすために構成されたものであること、前記駆動する信号はノイズの信号を含むために構成されたものであること、並びに、前記旋回可能な反射性の素子は前記回転デバイス及び前記駆動するデバイスが前記旋回可能な反射性の素子を旋回させるとき前記ノイズの信号に対する応答においてわずかに変形するために構成された光学的な表面を含むこと、それによってレーザーのスペックルを低減するために対応する光学的な経路の差を生じさせること、
異なる偏光を有する光へと前記偏光させられた光を変化させるために及び前記第三の光の経路に沿って前記異なる偏光を有する光を反射させるために構成された前記第三の光の経路に配された反射性の遅延させるシステム、並びに、
前記第一の光の経路と同じ又は実質的に同じエタンデュを呈示する単一の光ビームへと前記第三の光の経路における前記リターダからの前記異なる偏光を有する光と前記第二の光の経路からの光を組み合わせるために構成された偏光を組み合わせるデバイス
を具備する、システム。
【請求項３】
投射システムであって、
請求項１のエタンデュを維持する偏光を切り替えるシステム、
前記エタンデュを維持する偏光を切り替えるシステムを支持する光学部品、及び、
投射組み立て品
を具備する、投射システム。
【発明の詳細な説明】
【技術分野】
【０００１】
本発明は、エタンデュを維持するものである光学的なシステムに関係する。
【背景技術】
【０００２】
既存の光学的なシステム４５は、図１を参照して記載されたものである。システム４５において、一つの又はより多い実質的に偏光させられた固体状態の光源４４ａ、４４ｂからの光は、ビームコンバイナー３０によって組み合わせられる。源４４ａからの組み合わせられた光は、それの偏光が、源４４ｂからの組み合わせられた光に対して直交するものであるように、遅延プレート６４によって実質的に回転させられる。源４４ａ及び４４ｂからの直交して偏光させられた組み合わせられた光は、次に回転するディスク６５に突き当たるが、それは、透過性のものである少なくとも一つのセグメント及び光に対して反射性のものである一つのものを含有する。一つの事例において、それによってディスク６５が、反射性のセグメントが源４４ａ及び４４ｂからの組み合わせられた光に遭遇するように、回転させられるが、源４４ａからの組み合わせられた光は、光軸３へと直接的に反射させられると共に（示されたものではない）光学的な集積化又は（示されたものではない）残留する光学的なシステムの照明いずれかのためにレンズ５０へ向けられることになる。しかしながら、源４４ｂからの組み合わせられた光は、反射性の表面７２へ再方向付けられると共にさらに遅延プレート６４を通過させられることになるが、それは、源４４ａからの組み合わせられた光と実質的に同じ状態へ偏光を回転させる。遅延プレート６４を出る光は、源４４ａからの組み合わせられた光の類似の光学的な経路へと実質的に向けられると共にレンズ５０を通じて送られる。
【０００３】
代替の事例において、それによってディスク６５が、透過性のセグメントが源４４ａ及び４４ｂからの組み合わせられた光の経路にあるものであるように、回転させられるが、状況は、源４４ａからの組み合わせられた光が、両方がレンズ５０へ送られる前に、再方向付けされると共に源４４ｂからの組み合わせられた光の偏光状態へ回転させられように、逆転させられる。この事例において、回転するセグメント化されたディスク６５は、代わりに、光学的なシステムにおける使用のためのレンズ５０へ偏光の二つの直交する状態を届ける。
【０００４】
しかしながら、システム４５は、増加させられたエタンデュ２を呈示するが、それは、ある一定の用途においては好ましいものではないことがある。それに応じて、当技術における要望は、維持されたエタンデュを呈示するものである、システム４５のような、光学的なシステムについて存在する。
【発明の概要】
【課題を解決するための手段】
【０００５】
上述された問題は、取り扱われると共に、技術的な解決手段は、本発明の様々な実施形態に従ったエタンデュを維持する偏光を切り替えるシステム及び関係させられた方法によって当技術において達成される。いくつかの実施形態において、エタンデュを維持する偏光を切り替えるシステムは、第一の光の経路に沿って偏光させられた光を提供するレーザー照明システムを含む。システムは、回転デバイス及び駆動デバイスの制御の下で少なくとも第二の光の経路及び第三の光の経路に沿って、それの偏光を変化させることなく、代わりに第一の光の経路において偏光させられた光を方向付けるものである第一の光の経路に配された旋回さえられた反射性の素子をもまた含む。第二の光の経路に配されたリターダーは、第二の光の経路に沿って異なる偏光を有する光へと偏光させられた光を変化させる。いくつかの実施形態において、反射性の素子は、偏光を組み合わせるデバイスの上流の第三の光の経路に配される。偏光を組み合わせるデバイスは、第一の光の経路と同じ又は実質的に同じエタンデュを呈示する単一の光ビームへと第二の光の経路においてリターダーからの異なる偏光を有する光と第三の光の経路からの光を組み合わせる。
【０００６】
いくつかの実施形態において、回転デバイス及び駆動デバイスは、集合的に、旋回さえられた反射性の素子の旋回をすることを引き起こす。これらの実施形態のいくつかにおいて、駆動デバイスは、回転デバイスに駆動信号を提供するが、駆動信号は、回転デバイスが旋回させられた反射性の素子を旋回させることを引き起こす。いくつかの実施形態において、駆動信号は、ランダムなもの又はそれ以外のもののいずれかで、ノイズを含むように構成される。そのようなノイズは、レーザースペックルを低減するように構成されることがある。
【０００７】
いくつかの実施形態において、旋回させられた反射性の素子は、回転デバイス及び駆動デバイスが、反射性の素子を移動させるとき、わずかに変形するものである光学的な表面を含む。そのような変形は、反射性の素子が、回転デバイス及び駆動デバイスによって移動させられるとき、加速、減速、又はそれら両方のおかげで生じることがある。そのような変形する光学的な表面は、スペックルを低減するためのノイズの使用に追加して又はそれの代わりにスペックルを低減するように構成されることがある。
【０００８】
本発明のいくつかの実施形態は、いくつかの他の実施形態において使用された第二の光の経路においてリターダーに対向させられたような第三の光の経路に配された反射性の遅延させるシステムを含む。反射性の遅延させるシステムは、異なる偏光を有する光へと偏光させられた光を変化させると共に第三の光の経路に沿って異なる偏光を有する光を反射させる。
【０００９】
いくつかの実施形態において、本発明に従ったエタンデュを維持する偏光を切り替えるシステムのいずれのものは、投射システムに含まれることがある。そのような投射システムは、立体視的なイメージを発生させるように構成された立体視的な投射をするシステムであることがある又はそうではないことがある。これらの実施形態のいくつかにおいて、投射システムは、エタンデュを維持する偏光を切り替えるシステムを支持する光学部品及び投射組み立て品を含む。
【００１０】
より上に記載された実施形態に追加して、さらなる実施形態は、図面の参照によって及び後に続く詳細な記載の研究によって明らかになることになる。
【図面の簡単な説明】
【００１１】
【図１】図１は、エタンデュを増加させるものである既存の光学的なシステムを図解する。
【図２】図２は、本発明の実施形態に従った、エタンデュを維持する偏光を切り替えるシステムを図解する。
【図３】図３は、本発明の実施形態に従った、別のエタンデュを維持する偏光を切り替えるシステムを図解する。
【図４】図４は、本発明の実施形態に従った、図２のエタンデュを維持する偏光を切り替えるシステムを組み込む投射システムを図解する。
【図５】図５は、本発明の実施形態に従った、回転するミラーの角度的な位置における故意に引き起こされた振動を図解する。
【発明を実施するための形態】
【００１２】
本発明は、添付された図面との併合で考慮されたより下に与えられた例示的な実施形態の詳細な記載からより容易に理解されることになるが、それらのうち
図１は、エタンデュを増加させるものである既存の光学的なシステムを図解する、
図２は、本発明の実施形態に従った、エタンデュを維持する偏光を切り替えるシステムを図解する、
図３は、本発明の実施形態に従った、別のエタンデュを維持する偏光を切り替えるシステムを図解する、
図４は、本発明の実施形態に従った、図２のエタンデュを維持する偏光を切り替えるシステムを組み込む投射システムを図解する、及び
図５は、本発明の実施形態に従った、回転するミラーの角度的な位置における故意に引き起こされた振動を図解する。
【００１３】
添付された図面が、発明の概念を図解するという目的のものであると共に一定の比率で拡大縮小されたものではないことがあることは、理解されることである。  
本発明の様々な実施形態は、エタンデュを維持する一方で偏光を切り替えることに属する。いくつかの実施形態に従って偏光を切り替えることは、二つの位置の間で
速く遷移するものであるミラーと共に起こる。均一な偏光を有する光は、ミラーへ透過させられる。二つの位置の他方におけるミラーのものから離れて反射させられた光が、維持されたそれの偏光を有するのに対して、二つの位置の一つにおいてミラーのものから離れて反射させられた光は、変化させられたそれの偏光を有する。その後に、偏光が変化させられた光及び偏光が維持された光は、エタンデュを維持する様式で簡単に再結合させられることがある。再結合させられた光が、二つの異なる偏光状態を含むために、立体視的なイメージは、発生させられることがある。
【００１４】
発明は、ここにおいて記載された実施形態の組み合わせの包括的なものである。“特定の実施形態”及び同様のものに対する参照は、発明の少なくとも一つの実施形態に有るものである特徴を参照する。“実施形態”若しくは“特定の実施形態”又は同様のものへの別個の参照は、同じ単数の又は複数の実施形態を必ずしも参照するものではない、しかしながら、そのような実施形態は、そのように指示されたものでない限り又は当業者に容易に明らかなものであるように、相互に排他的なものではない。“単数の方法”又は“複数の方法”並びに同様のものを参照する際における単数形のもの又は複数形のものの使用は、限定するものではない。
【００１５】
さらに、他に明示的に留意される又は文脈によって要求されるのではない限り、単語“又は”が、非排他的な意味においてこの開示において使用されることは、留意されるべきことである。なおもさらに、この記載が、しばしば用語“光”を使用するとはいえ、当業者は、放射の他の形態が、本発明の様々な実施形態において使用されることがあることを認識することになる。
【００１６】
図２は、本発明の実施形態に従った、エタンデュを維持する偏光を切り替えるシステム４７を図解する。図２において、システム４７は、旋回させられたミラー４９へ第一の光の経路２８に沿って偏光させられた光を方向付ける一つの又はより多いレーザー源を含有するものであるレーザー照明システム２７を含む。ここにおける記載が、一般的にレーザー照明システムとして照明システム２７を参照するとはいえ、（おおよそ１０度より下の）いずれの低い角度的な発散の実質的に偏光させられた光源も、使用されることがある。旋回させられたミラー４９は、一般的なミラー、波長が調整されたミラー、又は薄い膜の、ワイヤーグリッドの、若しくは他のタイプの偏光ビームスプリッターのような、旋回させられた反射性の素子のいずれのタイプのものであることがある。偏光ビームスプリッターは、この表面が、レーザー源の偏光の比を向上させるために有効に使用されることができるという点において利益を与えられることがある。一般的なレーザー源は、おおよそ１００：１の偏光の比を放出する。より高い消光比が、望まれるとすれば、偏光ビームスプリッターは、より高い比の偏光させられた光のほぼ全てを反射させる一方で、漏出の偏光状態を透過させるために使用されることがある。
【００１７】
ミラー４９は、回転デバイス６３へ取り付けられることがあるが、それは、例えば、Ｃａｍｂｒｉｄｇｅ  Ｔｅｃｈｎｏｌｏｇｉｅｓ  Ｉｎｃ，Ｌｅｘｉｎｇｔｏｎ，ＭＡによって提供されたもののようなガルバノメーター、モーターにおけるカム歯車によって駆動されたピボットデバイス、音声コイルによって駆動されたピボット軸受け、圧電性のモーター又は他の線形の若しくは回転式のモーターであることがある。回転デバイス６３は、例えば、回転デバイス６３におけるモーターが動作すると共にこのようにミラー４０を移動させることを引き起こすための電流を提供するものである駆動デバイス６２によって駆動されることがある。この点において、回転デバイス６３の一次的な目的は、ミラー４９が、固定された位置の間における最小限の遷移時間（デルタｔ）で二つの又はより多い実質的に固定された位置（例．ａ（ｔ１）、ｂ（ｔ２））まで旋回点５８のまわりで回転させられることを、引き起こすことである。
【００１８】
図２の例において、時間ｔ１におけるミラーの位置ａ（ｔ１）は、光学的なリターダー６４及びその後に偏光ビームスプリッター５７を含有する第二の光の経路へ偏光させられた光ビームを方向付ける。光学的なリターダー６４は、レーザー照明システム２７からの偏光させられた光の偏光を変化させるように構成される。レーザー光の偏光を切り替えることが、直交するものであることが望まれるところの事例において、光学的なリターダー６４は、実質的に半分の波長の回転を提供すると思われる。偏光ビームスプリッター５７は、リターダー６４からの異なる偏光（例．直交する偏光）を有する光を透過させるように設計されるものである偏光を組み合わせるデバイスの例である。しかしながら、偏光ビームスプリッター５７又はその場所において使用されたいずれの他の偏光を組み合わせるデバイスもその代わりに、その代わりに異なる偏光（例．直交する偏光）を有する光を反射させるように設計されることがあることは、留意されるべきことである。この事例においては、それは、図２に示されたものと反対のものであるが、より下で議論される、ミラー５３は、その河内に、経路（ｂ）に沿った光において半波の回転を引き起こすものであるデバイスであることがある。
【００１９】
図２に表された実施形態に戻ると、ミラーが位置ａ（ｔ１）にあるものであった後で、回転デバイス６３は、位置ｂ（ｔ２）まで最小化された時間デルタｔの間でミラー４９を遷移させる。この点において、回転デバイス６３は、電子的なコマンド又はモーターのタイミングによってかいずれかで駆動されることがある。一度ミラー４９が、位置ｂ（ｔ２）にあるものであると、ミラー４９は、第三の光の経路（ｂ）へレーザー照明システム２７からの光を再方向付けする。経路（ｂ）に沿った光は、ミラー５３へ伝わる。ミラー５３は、従来のミラー、調整されたミラー、又は、ちょうどミラー４９のような、偏光ビームスプリッターであることができる。ミラー５３は、経路２８及び（ａ）からのレーザー光と同じ又は実質的に同じ光学的な経路へと組み合わせられるために偏光ビームスプリッター５７へレーザー光を方向付ける。言い換えれば、ビームスプリッター５７からの組み合わせられた光ビームは、経路２８及び（ａ）に沿った光によって呈示されたエタンデュと同じものである又は実質的に同じものであるエタンデュを呈示する。ミラー５３の角度的な位置と一緒に（ａ）から（ｂ）まで位置を変えられたミラー４９からの組み合わせられた角度が、ビームスプリッター５７の反射の際に、経路（ａ）及び経路（ｂ）の光ビームが、角度的な及び空間的な意味の両方において実質的に一致するように、反射を介してレーザー光を方向付けることに留意すること。しかしながら、小さいレーザーの発散が、それらが不同のものである際に、二つの光学的な経路の間における顕著なサイズの差異を引き起こすものではないように、短いものに経路の長さを保つことの願望があることがある。この事例において、システムのエタンデュは、実質的に保存される。
【００２０】
立体のイメージングのために直交する偏光状態を可能とすることになるものである一つの実施形態において、偏光ビームスプリッターは、観察者に対してこれらの偏光状態を実質的に維持することになるものである光学的なシステムへ（ｔ１）において一つの偏光状態及び（ｔ２）において直交する偏光状態を届ける。観察者は、その次に、各々の目の上における直交する偏光させるフィルターによって（ｔ１）及び（ｔ２）において示された異なるイメージの間で区別をする。偏光状態のいずれかのクロストークを減少させる為に遷移時間デルタｔを維持することは、望ましいことであるが、そこでは、誤りのイメージ信号が、対向する目へ送られる。同様にして、空白化されたイメージ（イメージが、遷移時間の間に使用されるものではない）のとき、最小限の量の光は、失われる。
【００２１】
図３は、本発明の実施形態に従った、エタンデュを維持する偏光を切り替えるシステム４８を図解する。システム４８は、システム４８が、図２における光学的なリターダー６４を含むものではないことを除いて、図２によって図解されたシステム４７に類似のものであると共に、図２におけるミラー５３は、光の偏光状態を反射させると共に回転させることの両方のである反射性の遅延させるシステム５５によって交換させられる。反射性の遅延させるシステム５５は、当技術において知られた、（図３に示されたような）単一の反射性のリターダーであることがある、（図３に示されたものではない）直列におけるリフレクター若しくはリターダーであることがある、又は、いずれの他の等価なデバイス若しくはデバイスの組み合わせでもあることがある。
【００２２】
図３の例において、偏光ビームスプリッター５７ｂは、元来のレーザーの偏光状態を透過させると共に経路（ｂ）からの回転させられた偏光状態を反射させる。エタンデュの維持が、関心のあるものではないとすれば、ミラー５３が、示されたものではない、経路（ｂ）の下流の部分が、経路（ａ）に対して平行な方向において反射させられるような方式で、チルトさせられることがあることは、留意されるべきことである。
【００２３】
図４は、本発明の実施形態に従って、各々のカラーチャネル（例えば、赤色、緑色、青色、それぞれ）についての図２のエタンデュを維持する偏光を切り替えるシステム４７（４７ｒ、４７ｇ、４７ｂ）を組み込む投射システム１００を図解する。図２のシステム４７を使用するシステム１００が示されたものであるとはいえ、当業者は、システム１００が、その代わりに図３のシステム４８又は本発明の他の実施形態からのシステムを含むことがあることを、認識することになることは、留意されるべきことである。さらに、図４の例が、赤色、緑色、及び青色のカラーチャネルを伴うとはいえ、当業者は、異なる数及びタイプのカラーチャネルが使用されることがあることを認識することになる。
【００２４】
各々の切り替えるシステム４７ｒ、４７ｇ、４７ｂと関連させられたものは、それぞれ、支持する光学部品５１ｒ、５１ｇ、５１ｂである。支持する光学部品５１の各々のセットは、インテグレーティングバー５２、空間光変調器６０、及び、インテグレーティングバー５２へと光を結合させると共にその後に空間光変調器６０へのインテグレーティングバーを出る均一化された照明の大きさを変更すると共にそれをイメージングするように構成された様々なレンズ５４を含む。切り替えるシステム４７ｒ、４７ｇ、４７ｂ及び支持する光学部品５１ｒ、５１ｇ、５１ｂからの着色された光は、それぞれ、当技術において知られた、二色性のプレート８４と組み合わせられる。二色性のプレート８４からの組み合わせられた光は、投射組み立て品７０によって投射されるが、それは、当技術において知られた構成における数個のレンズを含む。
【００２５】
図５は、本発明の実施形態に従った、回転するミラーの角度的な位置における故意に引き起こされた振動を図解する。図２、３、及び４の実施形態のような、本発明の様々な実施形態に対する追加的な特徴として、ミラー４９は、当技術において知られた、レーザースペックルを低減する為に振動することが引き起こされることがある。この点において、図５は、回転のデバイス６３が、ミラー４９のわずかな角度的な運動を引き起こすものである駆動デバイス６２からの（図５に示された“クリーンな入力信号”に対向させられたような）ランダムにノイズのある入力信号によって駆動されることがあることを示す。このわずかな角度的な運動は、図５における“ランダムノイズ信号当たりの角度的な位置”のグラフによって図解される。しかしながら、回転のデバイス６３を駆動する信号への駆動デバイス６２によって適用されたノイズは、純粋にランダムなものである必要はない。例えば、秩序化されたノイズは、駆動デバイス６２によって回転のデバイス６３へ提供されることがある。
【００２６】
故意の角度的なノイズ又は振動は、空間光変調器へのレーザー照明ビームの小さい時間的なシフトを提供するために利用されることができるが、それによって低減されたレーザースペックルを引き起こす。望ましい周波数ドメインは、スペックルパターンが、目によって異なる位置にわたって平均化されたものであるようなものであると思われる。
【００２７】
スペックルを低減するためのミラー４９のものから離れて反射する光における振動を引き起こすために回転デバイス６３の駆動信号においてノイズを提供することに追加して又はそれの代わりに、ミラー４９は、それが、照明の経路における小さい光学的な経路の差異を引き起こすために移動するとき、ミラー４９の光学的な表面をわずかに変形させるものである様式で製作される又は取り付けられることがある。言い換えれば、ミラー４９の光学的な表面におけるわずかな変形を引き起こすことは、それが移動するとき、レーザースペックルを低減する為に、ミラー４９のものから離れて反射させられた光における振動を引き起こす又は容易にすることになる。再度、この振動の周波数ドメインは、目が、目視可能なスペックル強度を低減するためにスペックルパターンにおける振動を平均化するように、調整されると思われる。ミラー４９の加速及び減速の行為は、それが一つの位置から別のものまで遷移する（例えば、図２参照）とき、ミラー４９の光学的な表面におけるわずかな変形を引き起こすものである力を提供するために使用されることがある。典型的にはガルバノメーターにおいて、この効果は、リンギングと呼ばれると共に図５の上部の行に図解されたものである。この事例においては、リンギングが、スペックルの低減の手段として望ましい属性であることがある。
【００２８】
ミラー４９における若しくはミラー４９の光学的な表面又はそれら両方における振動を引き起こすことに追加して、ミラーは、レーザースペックルの低減をさらに向上させる為に拡散性の表面を含有することがある。
【００２９】
例示的な実施形態が、単に本発明の例証するものであること、及び、上述した実施形態の多数のバリエーションが、当該発明の範囲から逸脱することなく当業者によって案出されることができることは、理解されることである。従って、全てのそのようなバリエーションが、後に続く請求項及びそれらの均等物の範囲内に含まれることは、意図されることである。
［付記］
付記（１）：
エタンデュを維持する偏光を切り替えるシステムであって、
第一の光の経路に沿って偏光させられた光を提供するように構成されたレーザー照明システム、
前記第一の光の経路に配された旋回させられた反射性の素子、
前記旋回させられた反射性の素子が少なくとも第二の光の経路及び第三の光の経路に沿って、それの偏光を変化させることなく、前記第一の光の経路において前記偏光させられた光を制御可能に及び代わりに方向付けるように作動可能なものであること、
前記第二の光の経路に配されたリターダー、
前記リターダーが前記第二の光の経路に沿って異なる偏光を有する光へと前記偏光させられた光を変化させるように構成されたものであること、並びに、
前記第一の光の経路と同じ又は実質的に同じエタンデュを呈示する単一の光ビームへと前記第二の光の経路における前記リターダーとは異なる偏光を有する光と前記第三の光の経路からの光を組み合わせるように構成された偏光を組み合わせるデバイス
を備える、システム。
付記（２）：
付記（１）のシステムであって、
前記反射性の素子を旋回させるように集合的に構成された回転デバイス及び駆動デバイスをさらに備える、システム。
付記（３）：
付記（２）のシステムにおいて、
前記駆動デバイスは、前記回転デバイスに駆動信号を提供するように構成されたものであると共に、
前記駆動信号は、前記回転デバイスが前記旋回させられた反射性の素子を旋回させることを引き起こすように構成されたものである、
システム。
付記（４）：
付記（３）のシステムにおいて、
前記駆動信号は、ノイズを含むように構成されたものである、
システム。
付記（５）：
付記（４）のシステムにおいて、
前記ノイズは、ランダムである、システム。
付記（６）：
付記（４）のシステムにおいて、
前記ノイズは、秩序化されたものである、システム。
付記（７）：
付記（２）のシステムにおいて、
前記旋回させられた反射性の素子は、前記回転デバイス及び前記駆動デバイスが、前記反射性の素子を移動させるとき、わずかに変形するように構成された光学的な表面を含む、システム。
付記（８）：
付記（７）のシステムにおいて、
前記光学的な表面は、前記反射性の素子が、前記回転デバイス及び前記駆動デバイスによって移動させられるとき、加速、減速、又はそれら両方のおかげでわずかに変形するように構成されたものである、システム。
付記（９）：
付記（４）のシステムにおいて、
前記旋回させられた反射性の素子は、前記回転デバイス及び前記駆動デバイスが、前記反射性の素子を移動させるとき、わずかに変改するように構成された光学的な表面を含む
システム。
付記（１０）：
付記（１）のシステムであって、
前記偏光を組み合わせるデバイスの上流の前記第三の光の経路に配された反射性の素子をさらに備える、システム。
付記（１１）：
エタンデュを維持する偏光を切り替えるシステムであって、
第一の光の経路に沿って偏光させられた光を提供するように構成されたレーザー照明システム、
前記第一の光の経路に配された旋回させられた反射性の素子、
前記旋回させられた反射性の素子が少なくとも第二の光の経路及び第三の光の経路に沿って、それの偏光を変化させることなく、前記第一の光の経路において前記偏光させられた光を制御可能に及び代わりに方向付けるように作動可能なものであること、
前記偏光させられた光を異なる偏光を有する光へと変化させると共に前記第三の光の経路に沿って前記異なる偏光を有する光を反射させるように構成された前記第三の光の経路に配された反射性の遅延させるシステム、並びに、
前記第一の光の経路と同じ又は実質的に同じエタンでデュを呈示する単一の光ビームへと前記第三の光の経路において前記反射性の遅延させるシステムからの前記異なる偏光を有する光と前記第二の光の経路からの光を組み合わせるように構成された偏光を組み合わせるデバイス
を備える、システム。
付記（１２）：
付記（１１）のシステムにおいて、
前記反射性の遅延させるシステムは、反射性のリターダーを備える、システム。
付記（１３）：
付記（１１）のシステムにおいて、
前記反射性の遅延させるシステムは、直列にリフレクター及びリターダーを備える、システム。
付記（１４）：
付記（１１）のシステムであって、
前記反射性の素子を旋回させるように集合的に構成された回転デバイス及び駆動デバイスをさらに備える、システム。
付記（１５）：
付記（１４）のシステムにおいて、
前記駆動デバイスは、前記回転デバイスに駆動信号を提供するように構成されたものであると共に、
前記駆動信号は、前記回転デバイスが前記旋回させられた反射性の素子を旋回することを引き起こすように構成されたものである、
システム。
付記（１６）：
付記（１５）のシステムにおいて、
前記駆動信号は、ノイズを含むように構成されたものである、システム。
付記（１７）：
付記（１４）のシステムにおいて、
前記旋回させられた反射性の素子は、前記回転デバイス及び前記駆動デバイスが、前記反射性の素子を移動させるとき、わずかに変形するように構成された光学的な表面を含む、システム。
付記（１８）：
付記（１７）のシステムにおいて、
前記光学的な表面は、前記反射性の素子が、前記回転デバイス及び前記駆動デバイスによって移動させられるとき、加速、減速、又はそれら両方のおかげでわずかに変形するように構成されたものである、システム。
付記（１９）：
付記（１６）のシステムにおいて、
前記旋回させられた反射性の素子は、前記回転デバイス及び前記駆動デバイスが、前記反射性の素子を移動させるとき、わずかに変形するように構成された光学的な表面を含む、システム。
付記（２０）：
付記（１１）のシステムであって、
前記偏光を組み合わせるデバイスの上流の前記第三の光の経路に配された反射性の素子をさらに備える、システム。
付記（２１）：
投射システムであって、
付記（１）のエタンデュを維持する偏光を切り替えるシステム、
前記エタンデュを維持する偏光を切り替えるシステムを支持する光学部品、及び、
投射組み立て品
を備える、投射システム。
付記（２２）：
投射システムであって、
付記（１１）のエタンデュを維持する偏光を切り替えるシステム、
前記エタンデュを維持する偏光を切り替えるシステムを支持する光学部品、及び、
投射組み立て品
を備える、投射システム。
付記（２３）：
偏光を切り替えるシステムであって、
第一の光の経路に沿って偏光させられた光を提供するように構成されたレーザー照明システム、
前記第一の光の経路に配された旋回させられた反射性の素子、
前記旋回させられた反射性の素子が、少なくとも第二の光の経路及び第三の光の経路に沿って、それの偏光を変化させることなく、前記第一の光の経路において偏光させられた光を制御可能に及び代わりに方向付けるように作動可能なものであること、並びに、
異なる偏光を有する光へと前記偏光させられた光を変化させるように及び前記第三の光の経路に沿って前記異なる偏光を有する光を反射させるように構成された前記第三の光の経路に配された反射性の遅延させるシステム
を備える、偏光を切り替えるシステム。
【符号の説明】
【００３０】
２７  レーザー照明システム
２８  第一の光の経路
４７  エタンデュを維持する偏光を切り替えるシステム
４７ｂ  切り替えるシステム
４７ｇ  切り替えるシステム
４７ｒ  切り替えるシステム
４８  エタンデュを維持する偏光を切り替えるシステム
４９  旋回させられたミラー
５１  支持する光学部品
５１ｂ  支持する光学部品
５１ｇ  支持する光学部品
５１ｒ  支持する光学部品
５２  インテグレーティングバー
５３  ミラー
５４  様々なレンズ
５５  反射性の遅延させるシステム
５７  偏光ビームスプリッター
５７ｂ  偏光ビームスプリッター
５８  旋回の点
６０  空間的な光変調器
６２  駆動デバイス
６３  回転デバイス
６４  光学的なリターダー
７０  投射組み立て品
８４  二色性のプレート
１００  投射システム
【図１】
0005631323.tif 000002
【図２】
0005631323.tif 000003
【図３】
0005631323.tif 000004
【図４】
0005631323.tif 000005
【図５】
0005631323.tif 000006